【手続補正書】
【提出日】平成17年11月28日(2005.11.28)
【手続補正１】
【補正対象書類名】明細書
【補正対象項目名】特許請求の範囲
【補正方法】変更
【補正の内容】
【特許請求の範囲】
【請求項１】  弁ケース内部に一又は複数の流入口と同一円周上に配設した複数の流出口を有し、前記流出口を配置している円周の中心を回転軸として回転して前記流出口を切替える弁体を収納してなる切替弁において、前記弁体が回転部材と当該回転部材に嵌合し前記流出口を閉塞する閉塞部材とを備え、前記閉塞部材が前記中心と前記流出口を結ぶ直線上を移動可能であり、前記閉塞部材の前記流出口を塞ぐ閉塞面が円弧状をなし、この円弧の曲率半径の寸法が前記流出口から前記中心までの距離寸法より小さいことを特徴とする切替弁。
【請求項２】  前記閉塞部材が前記回転部材との嵌合部において、前記回転部材の回転方向に空隙を有していることを特徴とする請求項１に記載の切替弁。
【請求項３】  前記閉塞部材が前記回転部材との嵌合部において、前記回転部材の回転方向に対して垂直方向に空隙を有していることを特徴とする請求項１に記載の切替弁。
【請求項４】  前記閉塞部材が前記回転部材との嵌合部において、前記回転部材の回転方向及び該回転方向に対して垂直方向に空隙を有していることを特徴とする請求項１に記載の切替弁。
【請求項５】  前記閉塞部材は、前記閉塞面の回転方向の端面が前記流出口を配置している円周面との間に空隙を形成しながら回転移動することを特徴とする請求項１乃至４の何れかに記載の切替弁。
【請求項６】  前記閉塞面の端面の中央部が前記流出口を配置している円周面との空隙が大きくなるように構成していることを特徴とする請求項５に記載の切替弁。
【請求項７】  前記閉塞面の回転方向に対し、前記回転軸の方向と直交した端面を凸としこの端面以外は凹にしたことを特徴とする請求項１乃至６のいずれかに記載の切替弁。
【請求項８】  前記閉塞部材が前記流出口の全てを閉塞可能であることを特徴とする請求項１乃至７のいずれかに記載の切替弁。
【請求項９】  前記閉塞部材を炭素入り樹脂で構成したことを特徴とする請求項１乃至８のいずれかに記載の切替弁。
【手続補正２】
【補正対象書類名】明細書
【補正対象項目名】０００５
【補正方法】変更
【補正の内容】
【０００５】
【課題を解決するための手段および作用・効果】
上記目的を達成するため、請求項１記載の発明は、弁ケース内部に一又は複数の流入口と同一円周上に配設した複数の流出口を有し、前記流出口を配置している円周の中心を回転軸として回転して前記流出口を切替える弁体を収納してなる切替弁において、前記弁体を回転部材と当該回転部材に嵌合し前記流出口を閉塞する閉塞部材とで構成したことを特徴とする。
【手続補正３】
【補正対象書類名】明細書
【補正対象項目名】０００７
【補正方法】変更
【補正の内容】
【０００７】
請求項１の発明は更に、前記閉塞部材が前記流出口を配置している円周の中心と前記流出口を結ぶ直線上を移動可能であることを特徴とする。
【手続補正４】
【補正対象書類名】明細書
【補正対象項目名】０００９
【補正方法】変更
【補正の内容】
【０００９】
請求項１の発明は更に、前記閉塞部材の前記流出口を塞ぐ閉塞面が円弧状をなし、この円弧の曲率半径の寸法が前記流出口から前記中心までの距離寸法より小さいことを特徴とする。
【手続補正５】
【補正対象書類名】明細書
【補正対象項目名】００１０
【補正方法】変更
【補正の内容】
【００１０】
閉塞部材が流出口を塞いだとき、閉塞部材の閉塞面と弁ケース内の円周面とが流出口以外の全ての面で接触すると、切替時にその部分の摩擦トルクが発生する。閉塞部材の閉塞面から中心までの距離を、弁ケースの流出口を配置している円周面から該円周面の中心までの距離より小さくすれば、閉塞面と弁ケースの円周部が接しているのは流出口の端部だけとなり、流出口を切替る際の摩擦トルクは、流出口周辺の総長さのみに依存するため、更に低トルクな切替弁を提供することができる。また従来回転軸は、閉塞面と弁ケースの摺動面で発生するトルクによるねじれ方向の強度確保のため、材質は金属あるいは金属並の強度を有するエンジニアリングプラスチックを必要としてきたが、本発明の構造により汎用樹脂を使用することができ、腐食性の優れた、ローコストの切替弁を提供することができる。
【手続補正６】
【補正対象書類名】明細書
【補正対象項目名】００１１
【補正方法】変更
【補正の内容】
【００１１】
請求項２記載の発明は、前記閉塞部材が前記回転部材との嵌合部において、前記回転部材の回転方向に空隙を有していることを特徴とする。
【手続補正７】
【補正対象書類名】明細書
【補正対象項目名】００１２
【補正方法】変更
【補正の内容】
【００１２】
切替弁の大量生産を考慮した場合、弁ケース及び弁体を樹脂材で構成することが望ましいが、閉塞部材の閉塞面及び弁ケース流出面の成形精度によっては、流出口を閉塞するには不十分で漏水するおそれがある。請求項２の発明では、閉塞部材と回転軸の嵌合部の回転方向にクリアランスを取っているため、閉塞部材が回転方向に傾くようになる。その結果、流出口を切替る際、流出口円周面に沿うように閉塞部材が移動するため、流出面のシールを確実にすることができ、操作力が小さく、漏水のない切替弁を提供できる。
【手続補正８】
【補正対象書類名】明細書
【補正対象項目名】００１３
【補正方法】変更
【補正の内容】
【００１３】
請求項３の発明は、前記閉塞部材が前記回転部材との嵌合部において、前記回転部材の回転方向に対して垂直方向に空隙を有していることを特徴とする。
【手続補正９】
【補正対象書類名】明細書
【補正対象項目名】００１４
【補正方法】変更
【補正の内容】
【００１４】
閉塞部材と弁体の回転部材の嵌合部の構造において、回転部材の回転方向に対して垂直方向にクリアランスを取っているため、閉塞部材が回転方向に直交する側に傾くようになる。その結果、請求項２記載の効果同様流出口を切替る際、流出口円周面及び、又は塞ぎ面の凹凸に合わせて閉塞部材が移動するため、流出面のシールを確実にすることができ、操作力が小さく、漏水のない切替弁を提供できる。
【手続補正１０】
【補正対象書類名】明細書
【補正対象項目名】００１５
【補正方法】変更
【補正の内容】
【００１５】
請求項４記載の発明は、前記閉塞部材が前記回転部材との嵌合部において、前記回転部材の回転方向及び該回転方向に対して垂直方向に空隙を有していることを特徴とする。
【手続補正１１】
【補正対象書類名】明細書
【補正対象項目名】００１６
【補正方法】変更
【補正の内容】
【００１６】
閉塞部材と弁体の回転部材の嵌合部回転方向及び該回転方向に対して垂直方向にクリアランスを取っているため、閉塞部材が回転方向及び該回転方向に対して直交する側にも傾くようになる。その結果、流出口を切替る際、流出口円周面及び／又は塞ぎ面に成形時の熱収縮によるひけが発生しても閉塞部材が３６０度に対応できるため、流出面のシールを確実にすることができ、操作力が小さく、漏水のない切替弁を提供できる。弁体の回転軸に電気的な動力源を持ってくる場合にも、低トルクの小型アクチュエータで構成することができる。
【手続補正１２】
【補正対象書類名】明細書
【補正対象項目名】００１７
【補正方法】変更
【補正の内容】
【００１７】
請求項５記載の発明は、前記閉塞部材が、その閉塞面の回転方向の端面が前記流出口を配置している円周面との間に空隙を形成しながら回転移動することを特徴とする。
【手続補正１３】
【補正対象書類名】明細書
【補正対象項目名】００１９
【補正方法】変更
【補正の内容】
【００１９】
請求項６記載の発明は、前記閉塞面の端面の中央部が前記流出口を配置している円周面との空隙が大きくなるように構成していることを特徴とする。
【手続補正１４】
【補正対象書類名】明細書
【補正対象項目名】００２１
【補正方法】変更
【補正の内容】
【００２１】
請求項７記載の発明は、前記閉塞面の回転方向に対し、前記回転軸の方向と直交した端面を凸としこの端面以外は凹にしたことを特徴とする。
【手続補正１５】
【補正対象書類名】明細書
【補正対象項目名】００２３
【補正方法】変更
【補正の内容】
【００２３】
請求項８記載の発明は、前記閉塞部材が前記流出口の全てを閉塞可能であることを特徴とする。
【手続補正１６】
【補正対象書類名】明細書
【補正対象項目名】００２５
【補正方法】変更
【補正の内容】
【００２５】
請求項９記載の発明は、前記閉塞部材を炭素入り樹脂で構成したことを特徴とする。